(57)【要約】  無線ネットワークは、基地局および移動局を含む。基地局はバーストサイズおよびパーティションを決定し、この情報を移動局にシグナリングする。【選択図】図１
2012518374.tif 000002
【特許請求の範囲】
【請求項１】
ダウンロード（ＤＬ）ＭＡＰ情報エレメント（ＩＥ）を、ダウンロードバーストパーティションに対して割り当てられた論理リソースユニット（ＬＲＵ）の数を示す第１のフィールドでポピュレートする段階と、
前記ＤＬ  ＭＡＰ  ＩＥを、移動局が前記ダウンロードバーストパーティションのサイズを決定するべく利用するサイズオフセットを表す第２のフィールドでポピュレートする段階と、
前記ＤＬ  ＭＡＰ  ＩＥを前記移動局に送信する段階と
を備える方法。
【請求項２】
前記第２のフィールドは５ビット長である請求項１に記載の方法。
【請求項３】
前記ダウンロードバーストパーティションで少なくとも１つのデータのバーストを前記移動局に送信する段階をさらに備える請求項１に記載の方法。
【請求項４】
前記ダウンロードバーストパーティションのサイズが６００バイトを超えるときに、複数の順方向誤り訂正（ＦＥＣ）ブロックを送信する段階をさらに備える請求項３に記載の方法。
【請求項５】
アップロード（ＵＬ）ＭＡＰ情報エレメント（ＩＥ）を、アップロードバーストパーティションに対して割り当てられた論理リソースユニット（ＬＲＵ）の数を示す第１のフィールドでポピュレートする段階と、
前記ＵＬ  ＭＡＰ  ＩＥを、移動局が前記アップロードバーストパーティションのサイズを決定するべく利用するサイズオフセットを表す第２のフィールドでポピュレートする段階と、
前記ＵＬ  ＭＡＰ  ＩＥを前記移動局に送信する段階と
を備える方法。
【請求項６】
前記第２のフィールドは５ビット長である請求項５に記載の方法。
【請求項７】
前記アップロードバーストパーティションで少なくとも１つのデータのバーストを前記移動局から受信する段階をさらに備える請求項５に記載の方法。
【請求項８】
ダウンロード（ＤＬ）ＭＡＰ情報エレメント（ＩＥ）を受信する段階と、
ダウンロードバーストパーティションに対して割り当てられた論理リソースユニット（ＬＲＵ）の数を示す第１のフィールドを前記ＤＬ  ＭＡＰ  ＩＥから読み出す段階と、
サイズオフセットを表す第２のフィールドを前記ＤＬ  ＭＡＰ  ＩＥから読み出す段階と、
前記割り当てられたＬＲＵの数と前記サイズオフセットとを利用して表で指標によって、前記ダウンロードバーストパーティションのサイズを決定する段階と
を備える方法。
【請求項９】
前記第２のフィールドは５ビット長である請求項８に記載の方法。
【請求項１０】
前記ダウンロードバーストパーティションで少なくとも１つのデータのバーストを受信する段階をさらに備える請求項８に記載の方法。
【請求項１１】
前記ダウンロードバーストパーティションのサイズが６００バイトを超えるときに、複数の順方向誤り訂正（ＦＥＣ）ブロックを受信する段階をさらに備える請求項１０に記載の方法。
【請求項１２】
アップロード（ＵＬ）ＭＡＰ情報エレメント（ＩＥ）を受信する段階と、
アップロードバーストパーティションに対して割り当てられた論理リソースユニット（ＬＲＵ）の数を示す第１のフィールドを前記ＵＬ  ＭＡＰ  ＩＥから読み出す段階と、
サイズオフセットを表す第２のフィールドを前記ＵＬ  ＭＡＰ  ＩＥから読み出す段階と、
前記割り当てられたＬＲＵの数と前記サイズオフセットとを利用して表で指標によって、前記アップロードバーストパーティションのサイズを決定する段階と
を備える方法。
【請求項１３】
前記第２のフィールドは５ビット長である請求項１２に記載の方法。
【請求項１４】
前記アップロードバーストパーティションで少なくとも１つのデータのバーストを送信する段階をさらに備える請求項１２に記載の方法。
【請求項１５】
前記アップロードバーストパーティションのサイズが６００バイトを超えるときに、複数の順方向誤り訂正（ＦＥＣ）ブロックを送信する段階をさらに備える請求項１４に記載の方法。
【請求項１６】
バーストサイズのリストを設計する段階と、
割り当てサイズに従って最小バーストサイズを選択する段階と、
前記最小バーストサイズに対するオフセットによってバーストサイズを選択する段階と
を備える方法。
【請求項１７】
移動局に対して前記バーストサイズをシグナリングする段階をさらに備える請求項１６に記載の方法。
【請求項１８】
前記バーストサイズをシグナリングする段階は、
ダウンロード（ＤＬ）ＭＡＰ情報エレメント（ＩＥ）のフィールドをポピュレートする段階と、
前記ＤＬ  ＭＡＰ  ＩＥを移動局に送信する段階と
を有する請求項１６に記載の方法。
【請求項１９】
前記バーストサイズをシグナリングする段階は、
アップロード（ＵＬ）ＭＡＰ情報エレメント（ＩＥ）のフィールドをポピュレートする段階と、
前記ＵＬ  ＭＡＰ  ＩＥを移動局に送信する段階と
を有する請求項１６に記載の方法。
【請求項２０】
命令を格納されたコンピュータ可読媒体であって、アクセスされると移動局に、
バーストに割り当てられた論理リソースユニット（ＬＲＵ）の数を基に導出され、ＩＥＥＥ８０２．１６に準拠したシステムにおけるＭＡＰ情報エレメント（ＩＥ）から取得される５ビットの指標であるバーストサイズ指標を決定する段階と、
前記バーストサイズ指標を利用して表で指標によってバーストサイズを決定する段階と
を実行させるコンピュータ可読媒体。
【請求項２１】
前記ＭＡＰ  ＩＥは、ダウンロード（ＤＬ）ＭＡＰ  ＩＥを含み、前記バーストサイズは、ダウンロードバーストのサイズに対応する請求項２０に記載のコンピュータ可読媒体。
【請求項２２】
前記ＭＡＰ  ＩＥは、アップロード（ＵＬ）ＭＡＰ  ＩＥを含み、前記バーストサイズは、アップロードバーストのサイズに対応する請求項２０に記載のコンピュータ可読媒体。
【請求項２３】
少なくとも１つのアンテナと、
基地局からＭＡＰ情報エレメント（ＩＥ）を受信するために少なくとも１つのアンテナに連結され、前記ＭＡＰ  ＩＥから取得される５ビットのオフセットを利用してバーストパーティションサイズを決定する物理層と
を備える移動局。
【請求項２４】
前記物理層はさらに、６００バイトを超えるバーストについて同一サイズの複数の順方向誤り訂正（ＦＥＣ）ブロックを含む請求項２３に記載の移動局。
【請求項２５】
少なくとも１つのアンテナと、
前記少なくとも１つのアンテナに連結され、全ての割り当てサイズについて最小スペクトル効率から最大スペクトル効率までの範囲内のバーストサイズのセットをサポートする物理層と
を備える移動局。
【請求項２６】
前記物理層は、元の送信と再送信とが共通のバーストサイズおよび異なる割り当てサイズを有するアダプティブＨＡＲＱ（ハイブリッド・オートマチック・リピート・リクエスト）を実行可能である請求項２５に記載の移動局。
【請求項２７】
前記バーストサイズを決定する媒体アクセス制御層をさらに備える請求項２５に記載の移動局。
【発明の詳細な説明】
【技術分野】
【０００１】
本発明は、概して無線ネットワークに係り、より詳しくは、無線ネットワークにおけるバーストサイズのシグナリングに係る。
【背景技術】
【０００２】
ＩＥＥＥ（アイ・トリプル・イー）により、固定型、携帯型、および／または移動型のブロードバンド無線アクセスネットワークを提供するための規格ファミリー（例えば２００５年に公表されたＩＥＥＥ規格８０２．１６ｅ）が開発されている。
【０００３】
現行のシステムでは、データのバーストを移動局が適切に（アップロードの場合）暗号化することができ、（ダウンロードの場合）復号化することができるように、一定の情報が基地局から移動局へ「シグナリング」される。現行のＩＥＥＥ８０２．１６ｅに準拠したシステムで利用されるシグナリング方法は、ＭＣＳ（変調・符号化スキーム）と称される。
【０００４】
ＭＣＳによるシグナリングでは、少ない数の対の符号レート（Ｒ）と変調次数（Ｍ）とがあり、シグナリングによってその一方が選択される。割り当てサイズは直交振幅変調（ＱＡＭ）シンボルで把握され、選択された対（Ｒ，Ｍ）についてのバーストサイズは、ＮＱａｍＳｙｍｂｏｌｓ・Ｒ・Ｍとして計算される。
【０００５】
ＭＣＳシグナリングにおける問題の１つに、可能性のあるバーストサイズのセットが割り当てサイズに依存する、ということがある。例えばＩＥＥＥ８０２．１６ｅでは、４５バイトのバーストサイズは、５つのスロットが割り当てられている場合のみに可能となる。これにより、バーストにパディングを行わざるを得なくなり、無断な帯域幅が生じる。例えば、バーストサイズが大きい場合には、物理層データユニット（ＰＤＵ）の分割または結合によりパディングを回避することができるとはいえ、こうするためには、媒体アクセス制御（ＭＡＣ）層が、スケジューリングおよびリンク適合に関する決定を常に把握している必要があり、困難である。また例えば、バーストサイズが小さい場合、あるいは、レイテンシーに制約のあるアプリケーション（ＶｏＩＰ、ゲーム）の場合には、ＰＤＵサイズは実際には、より高次の層から来るために、パディングは回避できない。
【図面の簡単な説明】
【０００６】
【図１】無線ネットワークの局を示す。
【図２】無線ネットワークのダウンロードサブフレームを示す。
【図３】無線ネットワークのアップロードサブフレームを示す。
【図４】本発明の様々な実施形態におけるフローチャートを示す。
【図５】本発明の様々な実施形態におけるフローチャートを示す。
【図６】本発明の様々な実施形態におけるフローチャートを示す。
【図７】本発明の様々な実施形態におけるフローチャートを示す。
【図８】本発明の様々な実施形態における電子システムを示す。
【発明を実施するための形態】
【０００７】
以下の詳細な記載においては、本発明を実施可能な特定の実施形態を示す添付図面について参照を行う。これら実施形態は、当業者が本発明を実施可能な程度に詳細に記載されている。本発明の様々な実施形態は、互いに異なってはいても相互排他的ではないことを理解されたい。例えば、ある実施形態との関連で記載される特定の特徴、構造、または特性は、本発明の範囲を逸脱することなく他の実施形態でも実装することができる。加えて、各開示される実施形態における個々のエレメントの位置または配置は、本発明の範囲を逸脱せずに変更可能である。従って以下の詳細な記載は、限定的に解釈されるべきではなく、本発明の範囲は、添付請求項、および、請求項の均等物全体によってのみ定義が意図されている。図面においては、同様の参照番号を付された部材同士は図面が異なっていても、同じ、または類似した機能を有する。
【０００８】
図１は、無線ネットワークの局を示す。無線ネットワーク１００は、基地局（ＢＳ）１１０、中継局（ＲＳ）１２０、および移動局（ＭＳ）１３０を含むものとして示されている。局１３０は、ラップトップコンピュータとして図１では示されているが、これは本発明の限定ではない。例えば局１３０は、コンピュータであってもなくてもよく、移動型であってもなくてもよい。図１には３つの局しか示されていないが、本発明の範囲を逸脱しなければ任意の数の局が存在していてもよい。
【０００９】
局１１０、１２０、および１３０は、任意の数のアンテナを含んでよい。図１の例では、局１２０は２つのアンテナを含み、局１１０および１３０のアンテナの数は明記されていない。これらステーションが通信を行うための「チャネル」は、数多くの可能性のある信号経路を含んでよい。例えば、局１１０、１２０、および１３０が、数多くの「反射物」（例えば壁、ドア、その他の障害物）を含む環境にある場合、数多くの信号が異なる経路から到達する可能性がある。この条件は、「マルチパス」として知られている。一部の実施形態では、局１１０、１２０、および１３０は、複数のアンテナとマルチパスとを活用して通信帯域幅を増加することのできる多入力多出力（ＭＩＭＯ）システムである。さらに、マルチパスは干渉信号を拒絶する用途にも好適である。
【００１０】
ここで記載する実施形態の多くでは、ＩＥＥＥ８０２．１６規格で共通して利用される用語が利用されている。例えば、用語の多くが、この明細書の執筆時点で開発中のＩＥＥＥ８０２.１６ｍから借用されている。本発明の一部の実施形態はＩＥＥＥ８０２．１６ｍシステムで利用することができるが、これは本発明の限定ではない。本発明の様々な実施形態は、任意の通信システムで利用することができる。
【００１１】
現在、ＩＥＥＥ８０２．１６ｍシステムでは、サブフレーム内に「ＭＡＰ」情報エレメント（ＩＥ）を含めることが提案されている。ＭＡＰ  ＩＥは、ダウンロード（ＤＬ）ＭＡＰ  ＩＥ、アップロードＭＡＰ  ＩＥ、およびその他を含む数多くの異なる形態をとる。一部の実施形態では、ＤＬ  ＭＡＰ  ＩＥおよびＵＬ  ＭＡＰ  ＩＥは、バーストサイズおよびその他のパラメータを他の局にシグナリングするために利用される。例えば基地局１１０は、中継局１２０および移動局１３０に対してバーストサイズ、変調次数、および様々なその他のパラメータのシグナリングを提供する。
【００１２】
＜バーストサイズおよび変調次数のシグナリング（オプション１）＞
オプション１に含まれる様々な実施形態は、可能性のあるバーストサイズの、固定された比較的小さい表を含む。これらバーストサイズを以下の表１に示す。
【表１】
2012518374.tif 000003
【００１３】
表１の各エントリは、固有の指標（ｉｄｘ）、固有のバーストサイズ、および固有のパーティション、セグメンテーション（分割）規則を有する。ＭＡＰでシグナリングされる特定のバーストのバーストサイズは、１）割り当てられた論理リソースユニット（ＬＲＵ）の数を、この表に対するオフセットとして選択し、２）さらなる５ビットを、このオフセットに対する表内の位置で定義する、ように決定される。
【００１４】
表１にリストされているバーストサイズのみが、ＰＨＹ層でサポートされる。これらサイズは、適用可能な場合には、バーストについて周期的冗長検査（ＣＲＣ）および順方向誤り訂正（ＦＥＣ）ブロックをさらに含む。他のサイズは、次のバーストサイズへのパディングが必要である。表１は、割り当てサイズから独立した固定されたバーストサイズのセットを提供しており、さらに、バーストサイズと割り当てサイズとの間の関係を利用することでバーストサイズ情報を圧縮している（ＭＣＳシグナリングにおける場合と同様に）。
【００１５】
提案されている表の特性としては、１）６バイトと６００バイトとの間に３９個の異なるＦＥＣブロックサイズのみが存在しており、２）６００バイトを超える全てのバーストサイズは、各々が同じサイズのＦＥＣブロックに分割され、分割（／結合）規則を可能な限り簡潔なものとして、最大の符号化利得を得ることができる、ということが含まれる。
【００１６】
表は、ＭＣＳシグナリングの振る舞い同様に、割り当てが大きくなるにつれて略指数関数的に増大するサイズを利用することで構築されている。各サイズは、１つ前のサイズより１２パーセント程度大きい。
【００１７】
＜バーストサイズシグナリング＞
送信用の最小および最大の符号レートを利用して、一定の割り当てサイズが与えられたときに可能なバーストサイズのセットは、表１のサイズのサブセットのみである。従って、この表を指標で表すのに必要な７ビットより小さいビットでバーストサイズをシグナリングすることができる。
【００１８】
基地局は、シグナリングプロセスで複数のＭＡＰ  ＩＥを送信する。基地局は、割り当てられたＬＲＵの数を含む１つのＭＡＰ  ＩＥ、および、５ビットのバーストサイズパラメータである
2012518374.tif 000004
を利用してバーストを記述する別のＭＡＰ  ＩＥを送信する。移動局は、バーストに割り当てられたＭＩＭＯレートにより乗算されるＬＲＵの数で表される割り当てサイズを決定することができる。例えば、４つのストリームの空間多重化を有する２つのＬＲＵの割り当てのサイズは、２＊４＝８である。基地局は、パラメータＩＭＩＮＩＭＡＬＳＩＺＥを表２に従って計算する（ＩＭＩＮＩＭＡＬＳＩＺＥ＝Ｍｉｎ  ｉｎｄｅｘ）。表１で利用されるバーストサイズ指標は、ｉｄｘ＝ＩＭＩＮＩＭＡＬＳＩＺＥ＋ＩＳＩＺＥＯＦＦＳＥＴ（式１）として計算される。
【表２】
2012518374.tif 000005
【００１９】
表１および表２は、パイロットを含む１８ｘ６階調のＬＲＵ公称サイズを想定している。ＬＲＵサイズの多少の変さらには、変更が必要とされない。様々な実施形態では、必要に応じて、大幅に異なるＬＲＵサイズをサポートするために定義される異なる表が含まれてよい。
【００２０】
表１、表２、および式１を利用するバーストサイズシグナリングは、以下の特性を有する。つまり、各割り当てサイズの最小スペクトル効率（最小スペクトル効率が最小バースト（／ＦＥＣブロック）サイズの結果である１または２ＬＲＵを除く）は、せいぜい０．１６８であり、または、均等な概念としてＱＰＳＫの最小符号レートが≦１／１２．５である（これは表２の構造の設計原理であった）。ここでのスペクトル効率は、変調次数、符号レート（情報サイズと送信される符号化ビットとの比率）およびパイロットオーバヘッドを含む。各割り当てサイズに対する最大スペクトル効率は、最小で５．３６であり（least 5.36）、または、均等な概念として６４−ＱＡＭの最大符号レートが≧８／９である。
【００２１】
最小スペクトル効率と最大スペクトル効率との間には（符号レート≦１）、３１個の異なるサイズが存在しており、パディングを最小限に抑えることができる。小さなバースト用のバーストサイズによる解像度（resolution）は、１バイトであり、バーストが大きくなるにつれて大きくなる。表は、（ＭＩＭＯ、パイロット数等により）可変であるサブキャリアの実際数ではなくて、ＬＲＵの割り当てサイズの関数である。これは簡潔性を考慮したものである。表の全てのバーストサイズは、最小スペクトル効率および最大スペクトル効率の間の範囲内にあり、実施可能である。これは、各割り当てサイズについて異なるバーストサイズのセットがサポートされるＭＣＳシグナリングの場合とは対照的である。これにより、ＰＨＹおよびＭＡＣ処理の間を良好に分離させることができる。
【００２２】
＜変調次数の規則＞
変調次数Ｍ（ＱＰＳＫについて２、１６−ＱＡＭについて４、および６４−ＱＡＭについて６）は、表３に述べる規則に従ってパラメータＩＳＩＺＥＯＦＦＳＥＴに依存する。１つまたは２つのＬＲＵの割り当てサイズは、特殊なケースである（表における別個の列に相当）。少なくとも３つのＬＲＵの割り当てにおいては、変調次数はＩＳＩＺＥＯＦＦＳＥＴのみに依存する。
【表３】
2012518374.tif 000006
【００２３】
表３は、表４に示すスペクトル効率（概算で割り当てられている）の関数としたときの変調次数の規則に基づいて構築されたものである。
【表４】
2012518374.tif 000007
【００２４】
一部の実施形態では、バーストサイズシグナリングにより、アダプティブＨＡＲＱ（ハイブリッド・オートマチック・リピート・リクエスト）再送信において、無変更のまま維持され、割り当てサイズは変更することができる。バーストサイズシグナリングにより、初めの送信のＭＡＰ  ＩＥの繰り返しが成功したかには関らず、割り当てサイズを柔軟に変更することができる。
【００２５】
さらに一部の実施形態では、バーストサイズシグナリングによって、割り当てサイズの異なる様々なデータリンクに対して共通のバーストサイズを持たせることが可能となる。例えば、中継局は、同じデータバーストを、ＢＳとＲＳとの間の、およびＲＳとＭＳとの間のデータリンクで転送するべきバーストサイズシグナリングの恩恵を被る場合がある。これら無線リンクは、異なる条件を有するので、異なる割り当てサイズで同じバーストサイズを送信することが望ましい。
【００２６】
図２は、無線ネットワークのダウンロードサブフレームを示す。ダウンロードサブフレーム２００は、ＤＬ  ＭＡＰ２１０、ＵＬ  ＭＡＰ２２０、およびＤＬデータバースト２３０を含む。ＤＬ  ＭＡＰ２１０は、情報エレメント（ＩＥ）２１２および２１４を含むものとして示されている。ＵＬ  ＭＡＰ２２０は、ＩＥ２２２および２２４を含むものとして示されている。
【００２７】
ＤＬ  ＭＡＰ  ＩＥ２１２は、ダウンロードバーストパーティションに対する割り当てサイズを示すデータを含む。例えば一部の実施形態では、ＤＬ  ＭＡＰ  ＩＥ２１２は、ダウンロードバーストに対して割り当てられたＬＲＵの数を含む。ＤＬ  ＭＡＰ  ＩＥ２１４は、５ビットパラメータＩＳＩＺＥＯＦＦＳＥＴを含む。動作においては、基地局が、移動局にサブフレームを送信する前に、ＤＬ  ＭＡＰ  ＩＥ２１２および２１４をポピュレートするための値を決定する。ＤＬ  ＭＡＰ  ＩＥ２１２および２１４を受信すると、移動局は、式１、表１、および表２を用いて、ダウンロードバーストサイズおよびパーティション規則を決定することができる。ＤＬデータバースト２３０は、バーストサイズよびパーティションルールに従って送信される。
【００２８】
ＤＬ  ＭＡＰ  ＩＥ２２２は、アップロードバーストパーティションに対する割り当てサイズを示すデータを含む。例えば一部の実施形態では、ＵＬ  ＭＡＰ  ＩＥ２２２は、アップロードバーストに対して割り当てられたＬＲＵの数を含む。ＵＬ  ＭＡＰ  ＩＥ２２４は、５ビットパラメータＩＳＩＺＥＯＦＦＳＥＴを含む。動作においては、基地局が、移動局にサブフレームを送信する前に、ＵＬ  ＭＡＰ  ＩＥ２２２および２２４をポピュレートするための値を決定する。ＵＬ  ＭＡＰ  ＩＥ２２２および２２４を受信すると、移動局は、式１、表１、および表２を用いて、アップロードバーストサイズおよびパーティションを決定することができる。次いで移動局は、図３に示すように、アップロードサブフレーム３００にＵＬデータバースト３３０を含めて送信する。
【００２９】
図４から図７は、本発明の様々な実施形態におけるフローチャートを示す。一部の実施形態では、これら方法は、基地局と移動局との間のアップロードおよびダウンロードのためのバーストサイズのシグナリングを行う無線システムで、または該無線システム用に利用されてよい。一部の実施形態では、方法、またはその部分は、様々な図にその実施形態が示される無線通信デバイス（例えば基地局、中継局、または移動局）により実行される。他の実施形態では、方法は、プロセッサまたは電子システムにより実行される。方法は、方法を実行する特定の種類の装置またはソフトウェアエレメントに制限されない。方法における様々なアクションは、提示される順序で実行されてもよいし、異なる順序で実行されてもよい。さらに一部の実施形態では、リストされているアクションの幾つかを方法から省くことができる。
【００３０】
図４を参照すると、方法４００は、ダウンロード（ＤＬ）ＭＡＰ情報エレメント（ＩＥ）を、ダウンロードバーストパーティションに対して割り当てられた論理リソースユニット（ＬＲＵ）の数を示す第１のフィールドでポピュレートするブロック４１０から始まるものとして示されている。これは、図２に示す基地局によるＤＬ  ＭＡＰ  ＩＥ２１２のポピュレートに対応している。
【００３１】
４２０で、ＤＬ  ＭＡＰ  ＩＥは、ダウンロードバーストパーティションのサイズを決定するべく、移動局が利用するサイズオフセットを表す第２のフィールドでポピュレートされる。これは、図２に示す移動局によるＩＳＩＺＥＯＦＦＳＥＴを利用したＵＬ  ＭＡＰ  ＩＥ２１４のポピュレートに対応している。一部の実施形態では、ＩＳＩＺＥＯＦＦＳＥＴは５ビットの値である。
【００３２】
４３０で、ＤＬ  ＭＡＰ  ＩＥが移動局に送信される。これは、ＤＬ  ＭＡＰを含むサブフレームが、基地局により送信される際に行われる。４４０で、少なくとも１つのデータのバーストが、ダウンロードバーストパーティションにより移動局へと基地局から送信される。データのバーストは、上述した表１に示したバーストパーティションのサイズに依存する１以上のＦＥＣブロックを含んでよい。従って４５０に示すように、ダウンロードバーストパーティションのサイズが６００バイトを超える場合に、複数のＦＥＣブロックが送信される。
【００３３】
図５を参照すると、方法５００は、方法４００（図４）で送信されたＤＬ  ＭＡＰおよびＤＬバーストパーティションを受信した後で、移動局により実行される例示的な方法を示す。方法５００は、ＤＬ  ＭＡＰ  ＩＥを受信する５１０から始まる。これには、方法４００でポピュレートされたＤＬ  ＭＡＰ  ＩＥが含まれる。５２０で、ダウンロードバーストパーティションに対して割り当てられたＬＲＵの数を示す第１のフィールドを、ＤＬ  ＭＡＰから読み出す。５３０で、サイズオフセットＩＳＩＺＥＯＦＦＳＥＴを表す第２のフィールドをＤＬ  ＭＡＰから読み出す。
【００３４】
５４０で、ダウンロードバーストパーティションのサイズを、ＬＲＵの数およびサイズオフセットを利用して表で指標によって、決定する。これは、上述した式１、表１、および表２の利用に対応する。
【００３５】
５５０で、基地局からの少なくとも１つのデータのバーストがダウンロードバーストパーティションにより移動局で受信される。データのバーストには、上述した表１で示したバーストパーティションのサイズによって、１以上のＦＥＣブロックが含まれてよい。従って５６０に示すように、ダウンロードバーストパーティションのサイズが６００バイトを超える場合に、複数のＦＥＣブロックが受信される。
【００３６】
図６を参照すると、方法６００は、アップロード（ＵＬ）ＭＡＰ情報エレメント（ＩＥ）を、アップロードバーストパーティションに対して割り当てられた論理リソースユニット（ＬＲＵ）の数を示す第１のフィールドでポピュレートするブロック６１０から始まる。これは、図２に示す基地局によるＵＬ  ＭＡＰ  ＩＥ２２２のポピュレートに対応している。
【００３７】
６２０で、ＵＬ  ＭＡＰ  ＩＥは、アップロードバーストパーティションのサイズを決定するべく、移動局が利用するサイズオフセットを表す第２のフィールドでポピュレートされる。これは、図２に示す移動局によるＩＳＩＺＥＯＦＦＳＥＴでＵＬ  ＭＡＰ  ＩＥ２２４のポピュレートに対応している。一部の実施形態では、ＩＳＩＺＥＯＦＦＳＥＴは５ビットの値である。
【００３８】
６３０で、ＵＬ  ＭＡＰ  ＩＥが移動局に送信される。これは、ＵＬ  ＭＡＰを含むサブフレームが、基地局により送信される際に行われる。６４０で、移動局からの少なくとも１つのデータのバーストがアップロードバーストパーティションで基地局において受信される。データのバーストは、上述した表１に示したバーストパーティションのサイズに依存する１以上のＦＥＣブロックを含んでよい。従って６５０に示すように、ダウンロードバーストパーティションのサイズが６００バイトを超える場合に、複数のＦＥＣブロックを受信する。
【００３９】
図７を参照すると、方法７００は、方法６００（図６）で送信されたＵＬ  ＭＡＰを受信した後で、移動局により実行される例示的な方法を示す。方法７００は、ＵＬ  ＭＡＰ  ＩＥを受信する７１０から始まる。これには、方法６００でポピュレートされたＵＬ  ＭＡＰ  ＩＥが含まれる。７２０で、アップロードバーストパーティションに対して割り当てられたＬＲＵの数を示す第１のフィールドを、ＵＬ  ＭＡＰから読み出す。７３０で、サイズオフセットＩＳＩＺＥＯＦＦＳＥＴを表す第２のフィールドをＵＬ  ＭＡＰから読み出す。
【００４０】
７４０で、アップロードバーストパーティションのサイズを、ＬＲＵの数およびサイズオフセットを利用して表で指標によって、決定する。これは、上述した式１、表１、および表２の利用に対応する。
【００４１】
７５０で、少なくとも１つのデータのバーストが、アップロードバーストパーティションで移動局から基地局へ送信される。データのバーストには、上述した表１で示したバーストパーティションのサイズに依存する１以上のＦＥＣブロックが含まれてよい。従って７６０に示すように、アップロードバーストパーティションのサイズが６００バイトを超える場合に、複数のＦＥＣブロックが送信される。
【００４２】
＜バーストサイズシグナリングおよびパーティション規則（オプション２）＞
この寄稿では、割り当てサイズが既知であることを前提に、バーストサイズおよび変調次数のシグナリングについて説明する。我々の提案は、ＭＢＩ表の構築、バーストサイズの表の構築、バーストパーティション規則、およびバーストサイズ検知という要素からなる。ここでコンセプトとなっているのは、割り当てサイズに関らず固定されたバーストサイズの表を得ることが望ましく、同時に、バーストサイズと割り当てサイズとの間の関係を利用することでバーストサイズ情報を圧縮することが望ましい、というものである。加えて、バーストサイズは、バーストパーティションに対するパディングを回避（void）するために可能性のある１つのＦＥＣブロックサイズの倍数として設計される。
【００４３】
＜ＭＢＩ表の構築＞
ＭＢＩ表においては、変調次数、バーストサイズ指標、およびＳＥを含む３つのパラメータが存在する。バーストサイズ指標およびＳＥは、バーストサイズ表を構築するために利用される。ＭＢＩ指標の数は、１６、３２、または６４レベルを有してよい。３２レベルのみをここでは取り扱う。ＳＥレベルは、ＡＷＧＮチャネルにおけるＬＬＳシミュレーションにより得られる。３０レベルのＳＥは、ＳＮＲ軸に沿って均等間隔で配置されている。
【００４４】
【表５】
2012518374.tif 000008
【００４５】
＜バーストサイズ表＞
バーストサイズ表は、以下のステップにより生成することができる。
（１）ＭＢＩ表のパラメータＳＥを利用して、各ＬＲＵについて対象となるバーストサイズを計算する。各ＬＲＵのサイズは、１８個のサブキャリア×６個のＯＦＤＭシンボルというサイズについて、１２バイトである。ＬＲＵの他のイレギュラーなサイズについては、１２バイトのＬＲＵに等しい数に変換することができる。ＬＲＵの数は、５Ｍ、１０Ｍ、および２０Ｍという帯域幅をサポートするために１から９６である。ＭＩＭＯの場合には、バーストサイズは、表３で提案されているバーストサイズとＭＩＭＯ次数との間の積となる。
（２）対象バーストサイズが６００バイト以下である場合には、表２と同じＦＥＣブロックサイズを最終バーストサイズとして選択する。同じＦＥＣブロックサイズがない場合には、最終的なバーストサイズとして最も近いものを選択する。
（３）対象バーストサイズが６００バイトを超えている場合には、バーストパーティションが必要となる。対象バーストサイズをＮとする場合には、対象ＦＥＣブロックサイズは丸められる（Ｎ／ｃｅｉｌ（Ｎ／６００））。対象ＦＥＣブロックサイズと同じＦＥＣブロックサイズがある場合には、バーストサイズは依然としてＮである。そのようなＦＥＣブロックサイズがなく、最も近いものがＫである場合には、バーストサイズはｃｅｉｌ（Ｎ／６００）＊Ｋとなる。
（４）表のバーストサイズはバーストＣＲＣビットを含む。
【００４６】
＜バーストパーティション規則＞
バーストＣＲＣを含むバーストサイズをＭとすると、ＦＥＣブロックはｃｅｉｌ（Ｍ／６００）となり、ＦＥＣブロックサイズはＭ／ｃｅｉｌ（Ｍ／６００）となる。
【００４７】
＜バーストサイズ検知＞
ＭＢＩ指標および割り当てサイズはＭＡＰでシグナリングされる。バーストサイズは、表３により、バーストサイズ指標とＬＲＵの数とを利用して簡単に求められる。
【表６】
2012518374.tif 000009
【表７】
2012518374.tif 000010
2012518374.tif 000011
2012518374.tif 000012
2012518374.tif 000013
2012518374.tif 000014
2012518374.tif 000015
2012518374.tif 000016
2012518374.tif 000017
【００４８】
図８は、本発明の様々な実施形態における電子システムを示す。電子システム８００は、アンテナ８１０、物理層（ＰＨＹ）８３０、媒体アクセス制御（ＭＡＣ）層８４０、プロセッサ８６０、およびメモリ８７０を含む。一部の実施形態では、電子システム８００は、アップロードバーストサイズおよびダウンロードバーストサイズを決定し、前の各図を参照して上述したようにＭＡＰ  ＩＥをポピュレートする基地局であってよい。他の実施形態では、電子システム８００は、前の各図を参照して上述したようにＭＡＰ  ＩＥを読み取り傍受する移動局であってよい。例えば、電子システム８００は、基地局１１０、中継局１２０、または移動局１３０として無線ネットワークで利用されてもよい（図１参照）。また例えば、電子システム８００は、前述した式のいずれかで示される計算を実行することのできる局であってもよい。
【００４９】
一部の実施形態では、電子システム８００は、基地局、中継局、または移動局を他の回路と共に含むシステムを表してもよい。例えば一部の実施形態では、電子スステム８００は、周辺機器または集積ユニットとして基地局または移動局を含むパソコン、ワークステーション等のコンピュータであってもよい。さらに、電子システム８００は、ネットワーク内で互いに連結された一連の基地局を含んでもよい。
【００５０】
動作においては、システム８００は、アンテナ８１０を利用して信号を送受信して、信号は、図８に示す様々なエレメントにより処理される。一部の実施形態では、アンテナ８１０は、ＭＩＭＯ処理をサポートするアンテナアレイまたは任意の種類のアンテナ構造であってよい。他の実施形態では、アンテナ８１０は、単一のアンテナを含んでよい。システム８００は、ＩＥＥＥ８０２．１６規格等の無線ネットワーク規格に一部準拠した、または完全に準拠して動作することができる。
【００５１】
物理層（ＰＨＹ）８３０はアンテナ８１０に連結されて、無線ネットワークと相互作用する。ＰＨＹ８３０は、無線周波数（ＲＦ）信号の送受信をサポートする回路を含んでよい。例えば一部の実施形態では、ＰＨＹ８３０は、信号を受信して低雑音増幅（ＬＮＡ）、フィルタリング、周波数変換等の「フロントエンド」処理を実行するＲＦレシーバを含む。さらに一部の実施形態では、ＰＨＹ８３０は、ＭＩＭＯ信号処理をサポートする変換メカニズムおよびビームフォーミング回路を含む。また例えば一部の実施形態では、ＰＨＹ８３０は、周波数のアップコンバージョンをサポートする回路、および、ＲＦトランスミッタを含む。一部の実施形態では、ＰＨＹ８３０は、バーストサイズを決定して、ＭＡＰ  ＩＥをポピュレートする回路を含む。他の実施形態では、ＰＨＹ８３０は、ＭＡＰ  ＩＥの内容を傍受して、バーストサイズを決定する回路を含む。
【００５２】
媒体アクセス制御（ＭＡＣ）層８４０には、任意の適切な媒体アクセス制御層が実装されていてよい。例えば、ＭＡＣ８４０は、ソフトウェア、ハードウェア、またはこれらの任意の組み合わせで実装されてよい。一部の実施形態では、ＭＡＣ８４０の一部がハードウェアで実装されて、他の一部が、プロセッサ８６０で実行されるソフトウェアで実装される、ということも可能である。さらに、ＭＡＣ８４０は、プロセッサ８６０とは別のプロセッサを含むこともできる。
【００５３】
動作においては、プロセッサ８６０は、メモリ８７０から命令およびデータを読み出して、それらに呼応してアクションを実行する。例えばプロセッサ８６０は、メモリ８７０から命令にアクセスして、本発明の方法の実施形態（例えば、図４の方法４００、図５の５００、図６の６００、図７の７００、または他の図面を参照して説明した方法）を実行することができる。プロセッサ８６０は、マイクロプロセッサ、デジタル信号プロセッサ、マイクロコントローラ等を含むがこれらに限定はされない任意の種類のプロセッサを表す。
【００５４】
メモリ８７０は、機械可読媒体を含む物品を表す。例えばメモリ８７０は、ランダムアクセスメモリ（ＲＡＭ）、ダイナミックランダムアクセスメモリ（ＤＲＡＭ）、スタティックランダムアクセスメモリ（ＳＲＡＭ）、読み取り専用メモリ（ＲＯＭ）、フラッシュメモリ、またはプロセッサ８６０により可読である媒体を含む任意の他の種類の物品を表している。メモリ８７０は、本発明の様々な方法の実施形態を実行する命令を格納してよい。一部の実施形態では、メモリ８７０は、上に示した表等の表を格納することができる。
【００５５】
システム８００の様々なエレメントは図８では別個のものとして示されているが、プロセッサ８６０、メモリ８７０、およびＭＡＣ８４０の回路を、単一の集積回路内に組み合わせた実施形態も存在する。例えば、メモリ８７０は、プロセッサ８６０内の内部メモリであってよく、または、プロセッサ８６０内のマイクロプログラム制御ストレージであってもよい。一部の実施形態では、システム８００の様々なエレメントは、それぞれ別にパッケージングされてから、共通の回路基板上に搭載されてもよい。他の実施形態では、様々なエレメントは、１つに（例えば、マルチチップモジュールに）パッケージングされる別個の集積回路ダイであり、また他の実施形態では、様々なエレメントが同一の集積回路ダイに設けられる。
【００５６】
本発明を一定の実施形態との関連で記載してきたが、当業者であれば本発明の範囲を逸脱せずに変更例および変形例を想到することができる。これら変更例および変形例も本発明および添付請求項の範囲に含まれることが意図されている。
【図１】
2012518374.tif 000018
【図２】
2012518374.tif 000019
【図３】
2012518374.tif 000020
【図４】
2012518374.tif 000021
【図５】
2012518374.tif 000022
【図６】
2012518374.tif 000023
【図７】
2012518374.tif 000024
【図８】
2012518374.tif 000025
【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
ダウンロード（ＤＬ）ＭＡＰ情報エレメント（ＩＥ）を、ダウンロードバーストパーティションに対して割り当てられた論理リソースユニット（ＬＲＵ）の数を示す第１のフィールドでポピュレートする段階と、
前記ＤＬ  ＭＡＰ  ＩＥを、移動局が前記ダウンロードバーストパーティションのサイズを決定するべく利用するサイズオフセットを表す第２のフィールドでポピュレートする段階と、
前記ＤＬ  ＭＡＰ  ＩＥを前記移動局に送信する段階と
を備える方法。
【請求項２】
前記第２のフィールドは５ビット長である請求項１に記載の方法。
【請求項３】
前記ダウンロードバーストパーティションで少なくとも１つのデータのバーストを前記移動局に送信する段階をさらに備える請求項１に記載の方法。
【請求項４】
前記ダウンロードバーストパーティションのサイズが６００バイトを超えるときに、複数の順方向誤り訂正（ＦＥＣ）ブロックを送信する段階をさらに備える請求項３に記載の方法。
【請求項５】
アップロード（ＵＬ）ＭＡＰ情報エレメント（ＩＥ）を、アップロードバーストパーティションに対して割り当てられた論理リソースユニット（ＬＲＵ）の数を示す第１のフィールドでポピュレートする段階と、
前記ＵＬ  ＭＡＰ  ＩＥを、移動局が前記アップロードバーストパーティションのサイズを決定するべく利用するサイズオフセットを表す第２のフィールドでポピュレートする段階と、
前記ＵＬ  ＭＡＰ  ＩＥを前記移動局に送信する段階と
を備える方法。
【請求項６】
前記第２のフィールドは５ビット長である請求項５に記載の方法。
【請求項７】
前記アップロードバーストパーティションで少なくとも１つのデータのバーストを前記移動局から受信する段階をさらに備える請求項５に記載の方法。
【請求項８】
ダウンロード（ＤＬ）ＭＡＰ情報エレメント（ＩＥ）を受信する段階と、
ダウンロードバーストパーティションに対して割り当てられた論理リソースユニット（ＬＲＵ）の数を示す第１のフィールドを前記ＤＬ  ＭＡＰ  ＩＥから読み出す段階と、
サイズオフセットを表す第２のフィールドを前記ＤＬ  ＭＡＰ  ＩＥから読み出す段階と、
前記割り当てられたＬＲＵの数と前記サイズオフセットとを利用して表で指標によって、前記ダウンロードバーストパーティションのサイズを決定する段階と
を備える方法。
【請求項９】
前記第２のフィールドは５ビット長である請求項８に記載の方法。
【請求項１０】
前記ダウンロードバーストパーティションで少なくとも１つのデータのバーストを受信する段階をさらに備える請求項８に記載の方法。
【請求項１１】
前記ダウンロードバーストパーティションのサイズが６００バイトを超えるときに、複数の順方向誤り訂正（ＦＥＣ）ブロックを受信する段階をさらに備える請求項１０に記載の方法。
【請求項１２】
アップロード（ＵＬ）ＭＡＰ情報エレメント（ＩＥ）を受信する段階と、
アップロードバーストパーティションに対して割り当てられた論理リソースユニット（ＬＲＵ）の数を示す第１のフィールドを前記ＵＬ  ＭＡＰ  ＩＥから読み出す段階と、
サイズオフセットを表す第２のフィールドを前記ＵＬ  ＭＡＰ  ＩＥから読み出す段階と、
前記割り当てられたＬＲＵの数と前記サイズオフセットとを利用して表で指標によって、前記アップロードバーストパーティションのサイズを決定する段階と
を備える方法。
【請求項１３】
前記第２のフィールドは５ビット長である請求項１２に記載の方法。
【請求項１４】
前記アップロードバーストパーティションで少なくとも１つのデータのバーストを送信する段階をさらに備える請求項１２に記載の方法。
【請求項１５】
前記アップロードバーストパーティションのサイズが６００バイトを超えるときに、複数の順方向誤り訂正（ＦＥＣ）ブロックを送信する段階をさらに備える請求項１４に記載の方法。
【請求項１６】
バーストサイズのリストを設計する段階と、
割り当てサイズに従って最小バーストサイズを選択する段階と、
前記最小バーストサイズに対するオフセットによってバーストサイズを選択する段階と
を備える方法。
【請求項１７】
移動局に対して前記バーストサイズをシグナリングする段階をさらに備える請求項１６に記載の方法。
【請求項１８】
前記バーストサイズをシグナリングする段階は、
ダウンロード（ＤＬ）ＭＡＰ情報エレメント（ＩＥ）のフィールドをポピュレートする段階と、
前記ＤＬ  ＭＡＰ  ＩＥを移動局に送信する段階と
を有する請求項１６に記載の方法。
【請求項１９】
前記バーストサイズをシグナリングする段階は、
アップロード（ＵＬ）ＭＡＰ情報エレメント（ＩＥ）のフィールドをポピュレートする段階と、
前記ＵＬ  ＭＡＰ  ＩＥを移動局に送信する段階と
を有する請求項１６に記載の方法。
【請求項２０】
移動局に、
バーストに割り当てられた論理リソースユニット（ＬＲＵ）の数を基に導出され、ＩＥＥＥ８０２．１６に準拠したシステムにおけるＭＡＰ情報エレメント（ＩＥ）から取得される５ビットの指標であるバーストサイズ指標を決定する段階と、
前記バーストサイズ指標を利用して表で指標によってバーストサイズを決定する段階と
を実行させるためのプログラム。
【請求項２１】
前記ＭＡＰ  ＩＥは、ダウンロード（ＤＬ）ＭＡＰ  ＩＥを含み、前記バーストサイズは、ダウンロードバーストのサイズに対応する請求項２０に記載のプログラム。
【請求項２２】
前記ＭＡＰ  ＩＥは、アップロード（ＵＬ）ＭＡＰ  ＩＥを含み、前記バーストサイズは、アップロードバーストのサイズに対応する請求項２０に記載のプログラム。
【請求項２３】
少なくとも１つのアンテナと、
基地局からＭＡＰ情報エレメント（ＩＥ）を受信するために少なくとも１つのアンテナに連結され、前記ＭＡＰ  ＩＥから取得される５ビットのオフセットを利用してバーストパーティションサイズを決定する物理層と
を備える移動局。
【請求項２４】
前記物理層はさらに、６００バイトを超えるバーストについて同一サイズの複数の順方向誤り訂正（ＦＥＣ）ブロックを含む請求項２３に記載の移動局。
【請求項２５】
少なくとも１つのアンテナと、
前記少なくとも１つのアンテナに連結され、全ての割り当てサイズについて最小スペクトル効率から最大スペクトル効率までの範囲内のバーストサイズのセットをサポートする物理層と
を備える移動局。
【請求項２６】
前記物理層は、元の送信と再送信とが共通のバーストサイズおよび異なる割り当てサイズを有するアダプティブＨＡＲＱ（ハイブリッド・オートマチック・リピート・リクエスト）を実行可能である請求項２５に記載の移動局。
【請求項２７】
前記バーストサイズを決定する媒体アクセス制御層をさらに備える請求項２５に記載の移動局。
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
ダウンロード（ＤＬ）ＭＡＰ情報エレメント（ＩＥ）を、ダウンロードバーストパーティションに対して割り当てられた論理リソースユニット（ＬＲＵ）の数を示す第１のフィールドでポピュレートする段階と、
前記ＤＬ  ＭＡＰ  ＩＥを、移動局が前記ダウンロードバーストパーティションのサイズを決定するべく利用するサイズオフセットを表す第２のフィールドでポピュレートする段階と、
前記ＤＬ  ＭＡＰ  ＩＥを前記移動局に送信する段階と
を備える方法。
【請求項２】
前記第２のフィールドは５ビット長である請求項１に記載の方法。
【請求項３】
前記ダウンロードバーストパーティションで少なくとも１つのデータのバーストを前記移動局に送信する段階をさらに備える請求項１または２に記載の方法。
【請求項４】
前記ダウンロードバーストパーティションのサイズが６００バイトを超えるときに、複数の順方向誤り訂正（ＦＥＣ）ブロックを送信する段階をさらに備える請求項３に記載の方法。
【請求項５】
アップロード（ＵＬ）ＭＡＰ情報エレメント（ＩＥ）を、アップロードバーストパーティションに対して割り当てられた論理リソースユニット（ＬＲＵ）の数を示す第１のフィールドでポピュレートする段階と、
前記ＵＬ  ＭＡＰ  ＩＥを、移動局が前記アップロードバーストパーティションのサイズを決定するべく利用するサイズオフセットを表す第２のフィールドでポピュレートする段階と、
前記ＵＬ  ＭＡＰ  ＩＥを前記移動局に送信する段階と
を備える方法。
【請求項６】
前記第２のフィールドは５ビット長である請求項５に記載の方法。
【請求項７】
前記アップロードバーストパーティションで少なくとも１つのデータのバーストを前記移動局から受信する段階をさらに備える請求項５または６に記載の方法。
【請求項８】
ダウンロード（ＤＬ）ＭＡＰ情報エレメント（ＩＥ）を受信する段階と、
ダウンロードバーストパーティションに対して割り当てられた論理リソースユニット（ＬＲＵ）の数を示す第１のフィールドを前記ＤＬ  ＭＡＰ  ＩＥから読み出す段階と、
サイズオフセットを表す第２のフィールドを前記ＤＬ  ＭＡＰ  ＩＥから読み出す段階と、
前記割り当てられたＬＲＵの数と前記サイズオフセットとを利用して表で指標によって、前記ダウンロードバーストパーティションのサイズを決定する段階と
を備える方法。
【請求項９】
前記第２のフィールドは５ビット長である請求項８に記載の方法。
【請求項１０】
前記ダウンロードバーストパーティションで少なくとも１つのデータのバーストを受信する段階をさらに備える請求項８または９に記載の方法。
【請求項１１】
前記ダウンロードバーストパーティションのサイズが６００バイトを超えるときに、複数の順方向誤り訂正（ＦＥＣ）ブロックを受信する段階をさらに備える請求項１０に記載の方法。
【請求項１２】
アップロード（ＵＬ）ＭＡＰ情報エレメント（ＩＥ）を受信する段階と、
アップロードバーストパーティションに対して割り当てられた論理リソースユニット（ＬＲＵ）の数を示す第１のフィールドを前記ＵＬ  ＭＡＰ  ＩＥから読み出す段階と、
サイズオフセットを表す第２のフィールドを前記ＵＬ  ＭＡＰ  ＩＥから読み出す段階と、
前記割り当てられたＬＲＵの数と前記サイズオフセットとを利用して表で指標によって、前記アップロードバーストパーティションのサイズを決定する段階と
を備える方法。
【請求項１３】
前記第２のフィールドは５ビット長である請求項１２に記載の方法。
【請求項１４】
前記アップロードバーストパーティションで少なくとも１つのデータのバーストを送信する段階をさらに備える請求項１２または１３に記載の方法。
【請求項１５】
前記アップロードバーストパーティションのサイズが６００バイトを超えるときに、複数の順方向誤り訂正（ＦＥＣ）ブロックを送信する段階をさらに備える請求項１４に記載の方法。
【請求項１６】
バーストサイズのリストを設計する段階と、
割り当てサイズに従って最小バーストサイズを選択する段階と、
前記最小バーストサイズに対するオフセットによってバーストサイズを選択する段階と
を備える方法。
【請求項１７】
移動局に対して前記バーストサイズをシグナリングする段階をさらに備える請求項１６に記載の方法。
【請求項１８】
前記バーストサイズをシグナリングする段階は、
ダウンロード（ＤＬ）ＭＡＰ情報エレメント（ＩＥ）のフィールドをポピュレートする段階と、
前記ＤＬ  ＭＡＰ  ＩＥを移動局に送信する段階と
を有する請求項１７に記載の方法。
【請求項１９】
前記バーストサイズをシグナリングする段階は、
アップロード（ＵＬ）ＭＡＰ情報エレメント（ＩＥ）のフィールドをポピュレートする段階と、
前記ＵＬ  ＭＡＰ  ＩＥを移動局に送信する段階と
を有する請求項１７に記載の方法。
【請求項２０】
移動局に、
バーストに割り当てられた論理リソースユニット（ＬＲＵ）の数を基に導出され、ＩＥＥＥ８０２．１６に準拠したシステムにおけるＭＡＰ情報エレメント（ＩＥ）から取得される５ビットの指標であるバーストサイズ指標を決定する段階と、
前記バーストサイズ指標を利用して表で指標によってバーストサイズを決定する段階と
を実行させるためのプログラム。
【請求項２１】
前記ＭＡＰ  ＩＥは、ダウンロード（ＤＬ）ＭＡＰ  ＩＥを含み、前記バーストサイズは、ダウンロードバーストのサイズに対応する請求項２０に記載のプログラム。
【請求項２２】
前記ＭＡＰ  ＩＥは、アップロード（ＵＬ）ＭＡＰ  ＩＥを含み、前記バーストサイズは、アップロードバーストのサイズに対応する請求項２０に記載のプログラム。
【請求項２３】
少なくとも１つのアンテナと、
基地局からＭＡＰ情報エレメント（ＩＥ）を受信するために少なくとも１つのアンテナに連結され、前記ＭＡＰ  ＩＥから取得される５ビットのオフセットを利用してバーストパーティションサイズを決定する物理層と
を備える移動局。
【請求項２４】
前記物理層はさらに、６００バイトを超えるバーストについて同一サイズの複数の順方向誤り訂正（ＦＥＣ）ブロックを含む請求項２３に記載の移動局。
【請求項２５】
少なくとも１つのアンテナと、
前記少なくとも１つのアンテナに連結され、全ての割り当てサイズについて最小スペクトル効率から最大スペクトル効率までの範囲内のバーストサイズのセットをサポートする物理層と
を備える移動局。
【請求項２６】
前記物理層は、元の送信と再送信とが共通のバーストサイズおよび異なる割り当てサイズを有するアダプティブＨＡＲＱ（ハイブリッド・オートマチック・リピート・リクエスト）を実行可能である請求項２５に記載の移動局。
【請求項２７】
前記バーストサイズを決定する媒体アクセス制御層をさらに備える請求項２５または２６に記載の移動局。
【国際調査報告】
2012518374.tif 000026
2012518374.tif 000027